(57)【要約】【課題】  移動した子機は元の番号により移動先で着信を受けることができ、さらに移動先で発信しても移動先に課金されることがないという移動追従型コミュニケーション技術を実現する。【解決手段】  移動追従型コミュニケーションシステムに配置される交換装置２において、付加情報受信部２１が移動端末装置４が第２の端末装置３２に接続した状態で第４の端末装置３４に発信したときに、第４の端末装置３４の電話番号に加えて付加情報を第２の端末装置３２から受信し、発信者電話番号表示制御部２２が付加情報に基づいて第４の端末装置３４に送信する発信者電話番号表示を第２の端末装置の電話番号ではなく第１の子機番号又は第１の端末装置３１の電話番号にし、課金制御部２３が付加情報に基づいて、第２の端末装置３２に課金するのではなく移動端末装置４又は第１位置の端末装置３１に課金する。【選択図】  図１
2006333056.tif 000002
【特許請求の範囲】
【請求項１】
第１の端末装置に接続する移動端末装置が移動し、第２の端末装置に当該移動端末装置が接続した状態で第３の端末装置からの発信を受信して通信を行う、又は第４の端末装置に発信して通信を行う場合に、
前記第１の端末装置は前記移動端末装置が移動することの設定を入力し、
前記第２の端末装置は、前記移動端末装置と接続したときに当該移動端末装置から前記第１の端末装置に接続した状態の第１の子機番号及び前記第１の端末装置の電話番号を受信し、当該移動端末装置に第２の子機番号を付与して、当該第２の子機番号を含む移動先情報を前記第１の端末装置に送出し、
前記第１の端末装置は前記第２の端末装置から前記移動先情報を受信し、前記第３の端末装置から前記移動端末装置への発信を受信したときは前記第２の子機番号を含む情報を当該第３の端末装置に送出し、
前記第３の端末装置は、前記第１の端末装置から前記第２の子機番号を含む情報を受信して、当該第２の子機番号により前記移動端末装置に再接続し、
かつ、前記第２の端末装置は、前記移動端末装置が当該第２の端末装置に接続した状態で前記第４の端末装置に発信するときは、前記交換装置に前記第１の子機番号及び前記第１の端末装置の電話番号を含む付加情報を送出し、
前記第４の端末装置は、前記移動端末装置からの発信を受信する、
移動追従型コミュニケーションシステムの通信ネットワークに配置される交換装置であって、
前記移動端末装置が前記第２の端末装置に接続した状態で前記第４の端末装置に発信したときに、発信先である当該第４の端末装置の電話番号に加えて前記付加情報を当該第２の端末装置から受信する付加情報受信部と、
前記付加情報に基づいて前記第４の端末装置に送信する発信者電話番号表示を前記第１の子機番号又は前記第１の端末装置の電話番号にする発信者電話番号表示制御部と、
前記付加情報に基づいて、前記移動端末装置又は前記第１位置の端末装置に課金する課金制御部と、を有することを特徴とする交換装置。
【請求項２】
第１の端末装置に接続する移動端末装置が移動し、第２の端末装置に当該移動端末装置が接続した状態で第３の端末装置からの発信を受信して通信を行う、又は第４の端末装置に発信して通信を行う場合に、
前記第１の端末装置は前記移動端末装置が移動することの設定を入力し、
前記第２の端末装置は、前記移動端末装置と接続したときに当該移動端末装置から前記第１の端末装置に接続した状態の第１の子機番号及び前記第１の端末装置の電話番号を受信し、当該移動端末装置に第２の子機番号を付与して、当該第２の子機番号を含む移動先情報を前記第１の端末装置に送出し、
前記第１の端末装置は前記第２の端末装置から前記移動先情報を受信し、前記第３の端末装置から前記移動端末装置への発信を受信したときは前記第２の子機番号を含む情報を当該第３の端末装置に送出し、
前記第３の端末装置は、前記第１の端末装置から前記第２の子機番号を含む情報を受信して、当該第２の子機番号により前記移動端末装置に再接続し、
かつ、前記第２の端末装置は、前記移動端末装置が当該第２の端末装置に接続した状態で前記第４の端末装置に発信するときは、前記交換装置に前記第１の子機番号及び前記第１の端末装置の電話番号を含む付加情報を送出し、
前記第４の端末装置は、前記移動端末装置からの発信を受信する、
移動追従型コミュニケーションシステムに用いられる前記第１の端末装置であって、
前記移動端末装置が移動することの設定を入力する移動モード設定部と、
前記第２の端末装置から前記移動先情報を受信する移動先情報受信部と、
前記第３の端末装置からの発信を受信したときは、前記第２の子機番号を含む情報を当該第３の端末装置に送出する移動先電話番号情報送出部と、を有することを特徴とする第１の端末装置。
【請求項３】
第１の端末装置に接続する移動端末装置が移動し、第２の端末装置に当該移動端末装置が接続した状態で第３の端末装置からの発信を受信して通信を行う、又は第４の端末装置に発信して通信を行う場合に、
前記第１の端末装置は前記移動端末装置が移動することの設定を入力し、
前記第２の端末装置は、前記移動端末装置と接続したときに当該移動端末装置から前記第１の端末装置に接続した状態の第１の子機番号及び前記第１の端末装置の電話番号を受信し、当該移動端末装置に第２の子機番号を付与して、当該第２の子機番号を含む移動先情報を前記第１の端末装置に送出し、
前記第１の端末装置は前記第２の端末装置から前記移動先情報を受信し、前記第３の端末装置から前記移動端末装置への発信を受信したときは前記第２の子機番号を含む情報を当該第３の端末装置に送出し、
前記第３の端末装置は、前記第１の端末装置から前記第２の子機番号を含む情報を受信して、当該第２の子機番号により前記移動端末装置に再接続し、
かつ、前記第２の端末装置は、前記移動端末装置が当該第２の端末装置に接続した状態で前記第４の端末装置に発信するときは、前記交換装置に前記第１の子機番号及び前記第１の端末装置の電話番号を含む付加情報を送出し、
前記第４の端末装置は、前記移動端末装置からの発信を受信する、
移動追従型コミュニケーションシステムに用いられる前記第２の端末装置であって、
前記移動端末装置と接続したときに当該移動端末装置から前記第１の端末装置に接続した状態の第１の子機番号及び前記第１の端末装置の電話番号を受信し、当該移動端末装置に第２の子機番号を付与する子機番号付与部と、
前記第２の子機番号を含む移動先情報を前記第１の端末装置に送出する移動先情報送出部と、
前記第３の端末装置から前記第２の子機番号への発信を受信したときに当該旨を前記移動端末装置に通知し、当該第３の端末装置と当該移動端末装置とを通話可能にする着信制御部と、
前記移動端末装置が接続した状態で当該移動端末装置が前記第４の端末装置に発信するときは、交換装置に前記第１の子機番号及び前記第１の端末装置の電話番号を含む付加情報を送出する付加情報送出部と、を有することを特徴とする第２の端末装置。
【請求項４】
第１の端末装置に接続する移動端末装置が移動し、第２の端末装置に当該移動端末装置が接続した状態で第３の端末装置からの発信を受信して通信を行う、又は第４の端末装置に発信して通信を行う、通信ネットワークに交換装置を含む移動追従型コミュニケーションシステムであって、
前記第１の端末装置は、
前記移動端末装置が移動することの設定を入力する移動モード設定部と、
前記第２の端末装置から前記移動端末装置に付された第２の子機番号を含む移動先情報を受信する移動先情報受信部と、
前記第３の端末装置からの発信を受信したときは、前記第２の子機番号を含む情報を当該第３の端末装置に送出する移動先電話番号情報送出部と、を有し、
前記第２の端末装置は、
前記移動端末装置と接続したときに当該移動端末装置から前記第１の端末装置に接続した状態の第１の子機番号及び前記第１の端末装置の電話番号を受信し、当該移動端末装置に前記第２の子機番号を付与する子機番号付与部と、
前記第２の子機番号を含む前記移動先情報を前記第１の端末装置に送出する移動先情報送出部と、
前記第３の端末装置から前記第２の子機番号への発信を受信したときに当該旨を前記移動端末装置に通知し、当該第３の端末装置と当該移動端末装置とを通話可能にする着信制御部と、
前記移動端末装置が接続した状態で当該移動端末装置が前記第４の端末装置に発信するときは、前記交換装置に前記第１の子機番号及び前記第１の端末装置の電話番号を含む付加情報を送出する付加情報送出部と、を有し、
前記交換装置は、
前記移動端末装置が前記第２の端末装置に接続した状態で前記第４の端末装置に発信したときに、発信先である当該第４の端末装置の電話番号に加えて前記付加情報を当該第２の端末装置から受信する付加情報受信部と、
前記付加情報に基づいて前記第４の端末装置に送信する発信者電話番号表示を前記第１の子機番号又は前記第１の端末装置の電話番号にする発信者電話番号表示制御部と、
前記付加情報に基づいて、前記移動端末装置又は前記第１位置の端末装置に課金する課金制御部と、を有する、
ことを特徴とする移動追従型コミュニケーションシステム。
【請求項５】
第１の端末装置に接続する移動端末装置が移動し、第２の端末装置に当該移動端末装置が接続した状態で第３の端末装置からの発信を受信して通信を行う、又は第４の端末装置に発信して通信を行う場合に、
前記第１の端末装置は前記移動端末装置が移動することの設定を入力して、当該移動端末装置が当該第１の端末装置に接続する状態の子機番号である第１の子機番号及び当該第１の端末装置の電話番号を含む移動管理申し込み情報を交換装置に送信し、
前記第２の端末装置は、前記移動端末装置と接続したときに当該移動端末装置に第２の子機番号を付与して、当該第２の子機番号を含む移動先情報を前記交換装置に送出し、
前記第３の端末装置は前記移動端末装置へ発信したときは、前記交換装置から前記第２の子機番号を含む情報を受信して、当該第２の子機番号により前記移動端末装置に再接続し、
かつ、前記第２の端末装置は、前記移動端末装置が当該第２の端末装置に接続した状態で前記第４の端末装置に発信が可能であり、
前記第４の端末装置は、前記移動端末装置からの発信を受信する、
移動追従型コミュニケーションシステムの通信ネットワークに配置される交換装置であって、
前記第１の端末装置から前記移動管理申し込み情報を受信して移動を管理する移動管理部と、
前記第２の端末装置から前記移動先情報を受信して、当該移動先情報を前記移動管理部に送信する移動先情報受信伝達部と、
前記第３の端末装置から前記第１の子機番号に基づく前記移動端末装置への発信を受信し、当該第１の子機番号に基づいて前記移動管理部から前記移動先情報を取り出す移動先情報取り出し部と、
前記移動先情報に基づいて前記第２の子機番号を含む情報を前記第３の端末装置に送信する移動先電話番号送出部と、
前記移動端末装置が前記第２の端末装置に接続した状態で当該移動端末装置が前記第４の端末装置に発信するときに、前記第２の端末装置から前記第２の子機番号を受信し、前記移動管理部から当該第２の子機番号に基づいて前記第１の子機番号及び前記第１の端末装置の電話番号を含む付加情報を取り出す付加情報取り出し部と、
前記付加情報に基づいて前記第４の端末装置に送信する発信者電話番号表示を前記第１の子機番号又は前記第１の端末装置の電話番号にする発信者電話番号表示制御部と、
前記付加情報に基づいて、前記移動端末装置又は前記第１位置の端末装置に課金する課金制御部と、を有することを特徴とする交換装置。
【請求項６】
第１の端末装置に接続する移動端末装置が移動し、第２の端末装置に当該移動端末装置が接続した状態で第３の端末装置からの発信を受信して通信を行う、又は第４の端末装置に発信して通信を行う、通信ネットワークに交換装置を含む移動追従型コミュニケーションシステムであって、
前記第１の端末装置は、
前記移動端末装置が移動することの設定を入力する移動モード設定部と、
前記移動端末装置が前記第１の端末装置に接続する状態の子機番号である第１の子機番号及び当該第１の端末装置の電話番号を含む移動管理申し込み情報を交換装置に送信する移動管理申し込み部と、を有し、
前記第２の端末装置は、
前記移動端末装置と接続したときに当該移動端末装置に前記第２の子機番号を付与する子機番号付与部と、
前記第２の子機番号を含む前記移動先情報を前記交換装置に送出する移動先情報送出部と、
前記第３の端末装置から前記第２の子機番号への発信を受信したときに当該旨を前記移動端末装置に通知し、当該第３の端末装置と当該移動端末装置とを通話可能にする着信制御部と、
前記移動端末装置が接続した状態で当該移動端末装置が前記第４の端末装置に発信するときは、前記交換装置に前記第２の子機番号を送出する子機番号送出部と、を有し、
前記交換装置は、
前記第１の端末装置から前記移動管理申し込み情報を受信して移動を管理する移動管理部と、
前記第２の端末装置から前記移動先情報を受信して、当該移動先情報を前記移動管理部に送信する移動先情報受信伝達部と、
前記第３の端末装置から前記第１の子機番号に基づく前記移動端末装置への発信を受信して、当該第１の子機番号に基づいて前記移動管理部から前記移動先情報を取り出す移動先情報取り出し部と、
前記移動先情報に基づいて前記第２の子機番号を含む情報を前記第３の端末装置に送信する移動先電話番号送出部と、
前記移動端末装置が前記第２の端末装置に接続した状態で当該移動端末装置が前記第４の端末装置に発信するときに、前記第２の端末装置から前記第２の子機番号を受信し、前記移動管理部から当該第２の子機番号に基づいて前記第１の子機番号及び前記第１の端末装置の電話番号を含む付加情報を取り出す付加情報取り出し部と、
前記付加情報に基づいて前記第４の端末装置に送信する発信者電話番号表示を前記第１の子機番号又は前記第１の端末装置の電話番号にする発信者電話番号表示制御部と、
前記付加情報に基づいて、前記移動端末装置又は前記第１位置の端末装置に課金する課金制御部と、を有することを特徴とする移動追従型コミュニケーションシステム。
【請求項７】
第１の端末装置に接続する移動端末装置が移動し、第２の端末装置に当該移動端末装置が接続した状態で第３の端末装置からの発信を受信して通信を行う、又は第４の端末装置に発信して通信を行う場合に、
前記第１の端末装置は前記移動端末装置が移動することの設定を入力し、
前記第２の端末装置は、前記移動端末装置と接続したときに当該移動端末装置から前記第１の端末装置に接続した状態の第１の子機番号及び前記第１の端末装置の電話番号を受信し、当該移動端末装置に第２の子機番号を付与して、当該第２の子機番号を含む移動先情報を前記第１の端末装置に送出し、
前記第１の端末装置は前記第２の端末装置から前記移動先情報を受信し、前記第３の端末装置から前記移動端末装置への発信を受信したときは前記第２の子機番号を含む情報を当該第３の端末装置に送出し、
前記第３の端末装置は、前記第１の端末装置から前記第２の子機番号を含む情報を受信して、当該第２の子機番号により前記移動端末装置に再接続し、
かつ、前記第２の端末装置は、前記移動端末装置が当該第２の端末装置に接続した状態で前記第４の端末装置に発信するときは、前記交換装置に前記第１の子機番号及び前記第１の端末装置の電話番号を含む付加情報を送出し、
前記第４の端末装置は、前記移動端末装置からの発信を受信する、
移動追従型コミュニケーションシステムの通信ネットワークに配置される交換装置における移動制御方法であって、
付加情報受信部が前記移動端末装置が前記第２の端末装置に接続した状態で前記第４の端末装置に発信したときに、発信先である当該第４の端末装置の電話番号に加えて前記付加情報を当該第２の端末装置から受信する付加情報受信ステップと、
発信者電話番号表示制御部が前記付加情報に基づいて前記第４の端末装置に送信する発信者電話番号表示を前記第１の子機番号又は前記第１の端末装置の電話番号にする発信者電話番号表示制御ステップと、
課金制御部が前記付加情報に基づいて、前記移動端末装置又は前記第１位置の端末装置に課金する課金制御ステップと、を実行することを特徴とする移動制御方法。
【請求項８】
第１の端末装置に接続する移動端末装置が移動し、第２の端末装置に当該移動端末装置が接続した状態で第３の端末装置からの発信を受信して通信を行う、又は第４の端末装置に発信して通信を行う場合に、
前記第１の端末装置は前記移動端末装置が移動することの設定を入力し、
前記第２の端末装置は、前記移動端末装置と接続したときに当該移動端末装置から前記第１の端末装置に接続した状態の第１の子機番号及び前記第１の端末装置の電話番号を受信し、当該移動端末装置に第２の子機番号を付与して、当該第２の子機番号を含む移動先情報を前記第１の端末装置に送出し、
前記第１の端末装置は前記第２の端末装置から前記移動先情報を受信し、前記第３の端末装置から前記移動端末装置への発信を受信したときは前記第２の子機番号を含む情報を当該第３の端末装置に送出し、
前記第３の端末装置は、前記第１の端末装置から前記第２の子機番号を含む情報を受信して、当該第２の子機番号により前記移動端末装置に再接続し、
かつ、前記第２の端末装置は、前記移動端末装置が当該第２の端末装置に接続した状態で前記第４の端末装置に発信するときは、前記交換装置に前記第１の子機番号及び前記第１の端末装置の電話番号を含む付加情報を送出し、
前記第４の端末装置は、前記移動端末装置からの発信を受信する、
移動追従型コミュニケーションシステムに用いられる前記第１の端末装置における移動制御方法であって、
移動モード設定部が前記移動端末装置が移動することの設定を入力する移動モード設定ステップと、
移動先情報受信部が前記第２の端末装置から前記移動先情報を受信する移動先情報受信ステップと、
移動先電話番号情報送出部が前記第３の端末装置からの発信を受信したときは、前記第２の子機番号を含む情報を当該第３の端末装置に送出する移動先電話番号情報送出ステップと、を実行することを特徴とする移動制御方法。
【請求項９】
第１の端末装置に接続する移動端末装置が移動し、第２の端末装置に当該移動端末装置が接続した状態で第３の端末装置からの発信を受信して通信を行う、又は第４の端末装置に発信して通信を行う場合に、
前記第１の端末装置は前記移動端末装置が移動することの設定を入力し、
前記第２の端末装置は、前記移動端末装置と接続したときに当該移動端末装置から前記第１の端末装置に接続した状態の第１の子機番号及び前記第１の端末装置の電話番号を受信し、当該移動端末装置に第２の子機番号を付与して、当該第２の子機番号を含む移動先情報を前記第１の端末装置に送出し、
前記第１の端末装置は前記第２の端末装置から前記移動先情報を受信し、前記第３の端末装置から前記移動端末装置への発信を受信したときは前記第２の子機番号を含む情報を当該第３の端末装置に送出し、
前記第３の端末装置は、前記第１の端末装置から前記第２の子機番号を含む情報を受信して、当該第２の子機番号により前記移動端末装置に再接続し、
かつ、前記第２の端末装置は、前記移動端末装置が当該第２の端末装置に接続した状態で前記第４の端末装置に発信するときは、前記交換装置に前記第１の子機番号及び前記第１の端末装置の電話番号を含む付加情報を送出し、
前記第４の端末装置は、前記移動端末装置からの発信を受信する、
移動追従型コミュニケーションシステムに用いられる前記第２の端末装置における移動制御方法であって、
子機番号付与部が前記移動端末装置と接続したときに当該移動端末装置から前記第１の端末装置に接続した状態の第１の子機番号及び前記第１の端末装置の電話番号を受信し、当該移動端末装置に第２の子機番号を付与する子機番号付与ステップと、
移動先情報送出部が前記第２の子機番号を含む移動先情報を前記第１の端末装置に送出する移動先情報送出ステップと、
着信制御部が前記第３の端末装置から前記第２の子機番号への発信を受信したときに当該旨を前記移動端末装置に通知し、当該第３の端末装置と当該移動端末装置とを通話可能にする着信制御ステップと、
付加情報送出部が前記移動端末装置が接続した状態で当該移動端末装置が前記第４の端末装置に発信するときは、交換装置に前記第１の子機番号及び前記第１の端末装置の電話番号を含む付加情報を送出する付加情報送出ステップと、を実行することを特徴とする移動制御方法。
【請求項１０】
第１の端末装置に接続する移動端末装置が移動し、第２の端末装置に当該移動端末装置が接続した状態で第３の端末装置からの発信を受信して通信を行う、又は第４の端末装置に発信して通信を行う、通信ネットワークに交換装置を含む移動追従型コミュニケーションシステムにおける移動追従型コミュニケーション方法であって、
前記第１の端末装置は、
移動モード設定部が前記移動端末装置が移動することの設定を入力する移動モード設定ステップと、
移動先情報受信部が前記第２の端末装置から前記移動端末装置に付された第２の子機番号を含む移動先情報を受信する移動先情報受信ステップと、
移動先電話番号情報送出が部前記第３の端末装置からの発信を受信したときは、前記第２の子機番号を含む情報を当該第３の端末装置に送出する移動先電話番号情報送出ステップと、を実行し、
前記第２の端末装置は、
子機番号付与部が前記移動端末装置と接続したときに当該移動端末装置から前記第１の端末装置に接続した状態の第１の子機番号及び前記第１の端末装置の電話番号を受信し、当該移動端末装置に前記第２の子機番号を付与する子機番号付与ステップと、
移動先情報送出部が前記第２の子機番号を含む前記移動先情報を前記第１の端末装置に送出する移動先情報送出ステップと、
着信制御部が前記第３の端末装置から前記第２の子機番号への発信を受信したときに当該旨を前記移動端末装置に通知し、当該第３の端末装置と当該移動端末装置とを通話可能にする着信制御ステップと、
付加情報送出部が前記移動端末装置が接続した状態で当該移動端末装置が前記第４の端末装置に発信するときは、前記交換装置に前記第１の子機番号及び前記第１の端末装置の電話番号を含む付加情報を送出する付加情報送出ステップと、を実行し、
前記交換装置は、
付加情報受信部が前記移動端末装置が前記第２の端末装置に接続した状態で前記第４の端末装置に発信したときに、発信先である当該第４の端末装置の電話番号に加えて前記付加情報を当該第２の端末装置から受信する付加情報受信ステップと、
発信者電話番号表示制御部が前記付加情報に基づいて前記第４の端末装置に送信する発信者電話番号表示を前記第１の子機番号又は前記第１の端末装置の電話番号にする発信者電話番号表示制御ステップと、
課金制御部が前記付加情報に基づいて、前記移動端末装置又は前記第１位置の端末装置に課金する課金制御ステップと、を実行する、
ことを特徴とする移動追従型コミュニケーション方法。
【請求項１１】
第１の端末装置に接続する移動端末装置が移動し、第２の端末装置に当該移動端末装置が接続した状態で第３の端末装置からの発信を受信して通信を行う、又は第４の端末装置に発信して通信を行う場合に、
前記第１の端末装置は前記移動端末装置が移動することの設定を入力して、当該移動端末装置が当該第１の端末装置に接続する状態の子機番号である第１の子機番号及び当該第１の端末装置の電話番号を含む移動管理申し込み情報を交換装置に送信し、
前記第２の端末装置は、前記移動端末装置と接続したときに当該移動端末装置に第２の子機番号を付与して、当該第２の子機番号を含む移動先情報を前記交換装置に送出し、
前記第３の端末装置は前記移動端末装置へ発信したときは、前記交換装置から前記第２の子機番号を含む情報を受信して、当該第２の子機番号により前記移動端末装置に再接続し、
かつ、前記第２の端末装置は、前記移動端末装置が当該第２の端末装置に接続した状態で前記第４の端末装置に発信が可能であり、
前記第４の端末装置は、前記移動端末装置からの発信を受信する、
移動追従型コミュニケーションシステムの通信ネットワークに配置される交換装置における移動制御方法であって、
移動管理部が前記第１の端末装置から前記移動管理申し込み情報を受信して移動を管理する移動管理ステップと、
移動先情報受信伝達部が前記第２の端末装置から前記移動先情報を受信して、当該移動先情報を前記移動管理部に送信する移動先情報受信伝達ステップと、
移動先情報取り出し部が前記第３の端末装置から前記第１の子機番号に基づく前記移動端末装置への発信を受信し、当該第１の子機番号に基づいて前記移動管理部から前記移動先情報を取り出す移動先情報取り出しステップと、
移動先電話番号送出部が前記移動先情報に基づいて前記第２の子機番号を含む情報を前記第３の端末装置に送信する移動先電話番号送出ステップと、
付加情報取り出し部が前記移動端末装置が前記第２の端末装置に接続した状態で当該移動端末装置が前記第４の端末装置に発信するときに、前記第２の端末装置から前記第２の子機番号を受信し、前記移動管理部から当該第２の子機番号に基づいて前記第１の子機番号及び前記第１の端末装置の電話番号を含む付加情報を取り出す付加情報取り出しステップと、
発信者電話番号表示制御部が前記付加情報に基づいて前記第４の端末装置に送信する発信者電話番号表示を前記第１の子機番号又は前記第１の端末装置の電話番号にする発信者電話番号表示制御ステップと、
課金制御部が前記付加情報に基づいて、前記移動端末装置又は前記第１位置の端末装置に課金する課金制御ステップと、を実行することを特徴とする移動制御方法。
【請求項１２】
第１の端末装置に接続する移動端末装置が移動し、第２の端末装置に当該移動端末装置が接続した状態で第３の端末装置からの発信を受信して通信を行う、又は第４の端末装置に発信して通信を行う、通信ネットワークに交換装置を含む移動追従型コミュニケーションシステムにおける移動追従型コミュニケーション方法であって、
前記第１の端末装置は、
移動モード設定部が前記移動端末装置が移動することの設定を入力する移動モード設定ステップと、
移動管理申し込み部が前記移動端末装置が前記第１の端末装置に接続する状態の子機番号である第１の子機番号及び当該第１の端末装置の電話番号を含む移動管理申し込み情報を交換装置に送信する移動管理申し込み部と、を実行し、
前記第２の端末装置は、
子機番号付与部が前記移動端末装置と接続したときに当該移動端末装置に前記第２の子機番号を付与する子機番号付与ステップと、
移動先情報送出部が前記第２の子機番号を含む前記移動先情報を前記交換装置に送出する移動先情報送出ステップと、
着信制御部が前記第３の端末装置から前記第２の子機番号への発信を受信したときに当該旨を前記移動端末装置に通知し、当該第３の端末装置と当該移動端末装置とを通話可能にする着信制御ステップと、
子機番号送出部が前記移動端末装置が接続した状態で当該移動端末装置が前記第４の端末装置に発信するときは、前記交換装置に前記第２の子機番号を送出する子機番号送出ステップと、を実行し、
前記交換装置は、
移動管理部が前記第１の端末装置から前記移動管理申し込み情報を受信して移動を管理する移動管理ステップと、
移動先情報受信伝達部が前記第２の端末装置から前記移動先情報を受信して、当該移動先情報を前記移動管理部に送信する移動先情報受信伝達ステップと、
移動先情報取り出し部が前記第３の端末装置から前記第１の子機番号に基づく前記移動端末装置への発信を受信して、当該第１の子機番号に基づいて前記移動管理部から前記移動先情報を取り出す移動先情報取り出しステップと、
移動先電話番号送出部が前記移動先情報に基づいて前記第２の子機番号を含む情報を前記第３の端末装置に送信する移動先電話番号送出ステップと、
付加情報取り出し部が前記移動端末装置が前記第２の端末装置に接続した状態で当該移動端末装置が前記第４の端末装置に発信するときに、前記第２の端末装置から前記第２の子機番号を受信し、前記移動管理部から当該第２の子機番号に基づいて前記第１の子機番号及び前記第１の端末装置の電話番号を含む付加情報を取り出す付加情報取り出しステップと、
発信者電話番号表示制御部が前記付加情報に基づいて前記第４の端末装置に送信する発信者電話番号表示を前記第１の子機番号又は前記第１の端末装置の電話番号にする発信者電話番号表示制御ステップと、
課金制御部が前記付加情報に基づいて、前記移動端末装置又は前記第１位置の端末装置に課金する課金制御ステップと、を有することを特徴とする移動追従型コミュニケーション方法。
【発明の詳細な説明】
【技術分野】
【０００１】
本発明は、交換装置を含む通信ネットワークを用いて、第１の端末装置を親機として接続していた移動端末装置が移動し第２の端末装置を親機とした接続を行い通信する場合の移動追従型コミュニケーション技術に関する。
【背景技術】
【０００２】
従来の交換機を含む通信ネットワークを用いて端末装置を移動させた場合の通信方法の例としては、移動先で元の電話番号による発信又は着信を可能にする通信方法がある。
【０００３】
この方法では、移動元の交換機にデータベースを持たせ、移動元の加入者電話番号に移動先の加入者電話番号を付加情報としてそのデータベースに持たせておく。また移動先の交換機にもデータベースを持たせて、移動先の加入者電話番号に移動元の加入者電話番号を付加情報としてそのデータベースに持たせておく。
【０００４】
これにより、移動先で加入者が発信すると、移動先の交換機がデータベースの付加情報から移動元の加入者電話番号を取り出し、発信するとき送出することになる発信者電話番号を、データベースから取り出した移動元の加入者電話番号に差し替える。また移動元の交換機に移動元の加入者電話番号で着信してくると、移動元の交換機がデータベースから移動先の加入者電話番号を取り出し、取り出した移動先の加入者電話番号を、発信してきた加入者を収容する交換機に通知し、通知を受けた交換機が移動先の加入者番号により再接続を行う方法がある（例えば、特許文献１参照。）。
【０００５】
しかしながらこのような方法は、回線単位で移動した場合に、移動先で元の電話番号による発信又は着信を可能にする通信方法であり、回線単位ではなく、回線につながった端末装置を親機としている子機が移動する場合には適用できないものである。
【特許文献１】特開２００３−２２９９５６号公報
【発明の開示】
【発明が解決しようとする課題】
【０００６】
上記従来技術は、回線につながった端末装置を親機としている子機が移動する場合には適用できないという問題がある。
【０００７】
本発明の解決すべき課題は、上記の問題を解決し、親機から離れて子機が移動しても、移動元の親機及び移動しない子機はそれまでどおりの通信ができ、移動先の親機及び子機もそれまでどおりの通信ができること。また、移動した子機は元の番号により移動先で着信を受けることができ、さらに移動先で発信しても移動先に課金されることがないという移動追従型コミュニケーション技術を実現することにある。
【課題を解決するための手段】
【０００８】
そこで、上記課題を解決するために請求項１に記載の発明は、第１の端末装置に接続する移動端末装置が移動し、第２の端末装置に当該移動端末装置が接続した状態で第３の端末装置からの発信を受信して通信を行う、又は第４の端末装置に発信して通信を行う場合に、前記第１の端末装置は前記移動端末装置が移動することの設定を入力し、前記第２の端末装置は、前記移動端末装置と接続したときに当該移動端末装置から前記第１の端末装置に接続した状態の第１の子機番号及び前記第１の端末装置の電話番号を受信し、当該移動端末装置に第２の子機番号を付与して、当該第２の子機番号を含む移動先情報を前記第１の端末装置に送出し、前記第１の端末装置は前記第２の端末装置から前記移動先情報を受信し、前記第３の端末装置から前記移動端末装置への発信を受信したときは前記第２の子機番号を含む情報を当該第３の端末装置に送出し、前記第３の端末装置は、前記第１の端末装置から前記第２の子機番号を含む情報を受信して、当該第２の子機番号により前記移動端末装置に再接続し、かつ、前記第２の端末装置は、前記移動端末装置が当該第２の端末装置に接続した状態で前記第４の端末装置に発信するときは、前記交換装置に前記第１の子機番号及び前記第１の端末装置の電話番号を含む付加情報を送出し、前記第４の端末装置は、前記移動端末装置からの発信を受信する、移動追従型コミュニケーションシステムの通信ネットワークに配置される交換装置であって、前記移動端末装置が前記第２の端末装置に接続した状態で前記第４の端末装置に発信したときに、発信先である当該第４の端末装置の電話番号に加えて前記付加情報を当該第２の端末装置から受信する付加情報受信部と、前記付加情報に基づいて前記第４の端末装置に送信する発信者電話番号表示を前記第２の端末装置の電話番号ではなく前記第１の子機番号又は前記第１の端末装置の電話番号にする発信者電話番号表示制御部と、前記付加情報に基づいて、前記第２の端末装置に課金するのではなく前記移動端末装置又は前記第１位置の端末装置に課金する課金制御部と、を有することを特徴とする。
【０００９】
また、請求項２に記載の発明は、第１の端末装置に接続する移動端末装置が移動し、第２の端末装置に当該移動端末装置が接続した状態で第３の端末装置からの発信を受信して通信を行う、又は第４の端末装置に発信して通信を行う場合に、前記第１の端末装置は前記移動端末装置が移動することの設定を入力し、前記第２の端末装置は、前記移動端末装置と接続したときに当該移動端末装置から前記第１の端末装置に接続した状態の第１の子機番号及び前記第１の端末装置の電話番号を受信し、当該移動端末装置に第２の子機番号を付与して、当該第２の子機番号を含む移動先情報を前記第１の端末装置に送出し、前記第１の端末装置は前記第２の端末装置から前記移動先情報を受信し、前記第３の端末装置から前記移動端末装置への発信を受信したときは前記第２の子機番号を含む情報を当該第３の端末装置に送出し、前記第３の端末装置は、前記第１の端末装置から前記第２の子機番号を含む情報を受信して、当該第２の子機番号により前記移動端末装置に再接続し、かつ、前記第２の端末装置は、前記移動端末装置が当該第２の端末装置に接続した状態で前記第４の端末装置に発信するときは、前記交換装置に前記第１の子機番号及び前記第１の端末装置の電話番号を含む付加情報を送出し、前記第４の端末装置は、前記移動端末装置からの発信を受信する、移動追従型コミュニケーションシステムに用いられる前記第１の端末装置であって、前記移動端末装置が移動することの設定を入力する移動モード設定部と、前記第２の端末装置から前記移動先情報を受信する移動先情報受信部と、前記第３の端末装置からの発信を受信したときは、前記第２の子機番号を含む情報を当該第３の端末装置に送出する移動先電話番号情報送出部と、を有することを特徴とする。
【００１０】
また、請求項３に記載の発明は、第１の端末装置に接続する移動端末装置が移動し、第２の端末装置に当該移動端末装置が接続した状態で第３の端末装置からの発信を受信して通信を行う、又は第４の端末装置に発信して通信を行う場合に、前記第１の端末装置は前記移動端末装置が移動することの設定を入力し、前記第２の端末装置は、前記移動端末装置と接続したときに当該移動端末装置から前記第１の端末装置に接続した状態の第１の子機番号及び前記第１の端末装置の電話番号を受信し、当該移動端末装置に第２の子機番号を付与して、当該第２の子機番号を含む移動先情報を前記第１の端末装置に送出し、前記第１の端末装置は前記第２の端末装置から前記移動先情報を受信し、前記第３の端末装置から前記移動端末装置への発信を受信したときは前記第２の子機番号を含む情報を当該第３の端末装置に送出し、前記第３の端末装置は、前記第１の端末装置から前記第２の子機番号を含む情報を受信して、当該第２の子機番号により前記移動端末装置に再接続し、かつ、前記第２の端末装置は、前記移動端末装置が当該第２の端末装置に接続した状態で前記第４の端末装置に発信するときは、前記交換装置に前記第１の子機番号及び前記第１の端末装置の電話番号を含む付加情報を送出し、前記第４の端末装置は、前記移動端末装置からの発信を受信する、移動追従型コミュニケーションシステムに用いられる前記第２の端末装置であって、前記移動端末装置と接続したときに当該移動端末装置から前記第１の端末装置に接続した状態の第１の子機番号及び前記第１の端末装置の電話番号を受信し、当該移動端末装置に第２の子機番号を付与する子機番号付与部と、前記第２の子機番号を含む移動先情報を前記第１の端末装置に送出する移動先情報送出部と、前記第３の端末装置から前記第２の子機番号への発信を受信したときに当該旨を前記移動端末装置に通知し、当該第３の端末装置と当該移動端末装置とを通話可能にする着信制御部と、前記移動端末装置が接続した状態で当該移動端末装置が前記第４の端末装置に発信するときは、交換装置に前記第１の子機番号及び前記第１の端末装置の電話番号を含む付加情報を送出する付加情報送出部と、を有することを特徴とする。
【００１１】
また、請求項４に記載の発明は、第１の端末装置に接続する移動端末装置が移動し、第２の端末装置に当該移動端末装置が接続した状態で第３の端末装置からの発信を受信して通信を行う、又は第４の端末装置に発信して通信を行う、通信ネットワークに交換装置を含む移動追従型コミュニケーションシステムであって、前記第１の端末装置は、前記移動端末装置が移動することの設定を入力する移動モード設定部と、前記第２の端末装置から前記移動端末装置に付された第２の子機番号を含む移動先情報を受信する移動先情報受信部と、前記第３の端末装置からの発信を受信したときは、前記第２の子機番号を含む情報を当該第３の端末装置に送出する移動先電話番号情報送出部と、を有し、前記第２の端末装置は、前記移動端末装置と接続したときに当該移動端末装置から前記第１の端末装置に接続した状態の第１の子機番号及び前記第１の端末装置の電話番号を受信し、当該移動端末装置に前記第２の子機番号を付与する子機番号付与部と、前記第２の子機番号を含む前記移動先情報を前記第１の端末装置に送出する移動先情報送出部と、前記第３の端末装置から前記第２の子機番号への発信を受信したときに当該旨を前記移動端末装置に通知し、当該第３の端末装置と当該移動端末装置とを通話可能にする着信制御部と、前記移動端末装置が接続した状態で当該移動端末装置が前記第４の端末装置に発信するときは、前記交換装置に前記第１の子機番号及び前記第１の端末装置の電話番号を含む付加情報を送出する付加情報送出部と、を有し、前記交換装置は、前記移動端末装置が前記第２の端末装置に接続した状態で前記第４の端末装置に発信したときに、発信先である当該第４の端末装置の電話番号に加えて前記付加情報を当該第２の端末装置から受信する付加情報受信部と、前記付加情報に基づいて前記第４の端末装置に送信する発信者電話番号表示を前記第２の端末装置の電話番号ではなく前記第１の子機番号又は前記第１の端末装置の電話番号にする発信者電話番号表示制御部と、前記付加情報に基づいて、前記第２の端末装置に課金するのではなく前記移動端末装置又は前記第１位置の端末装置に課金する課金制御部と、を有する、ことを特徴とする。
【００１２】
また、請求項５に記載の発明は、第１の端末装置に接続する移動端末装置が移動し、第２の端末装置に当該移動端末装置が接続した状態で第３の端末装置からの発信を受信して通信を行う、又は第４の端末装置に発信して通信を行う場合に、前記第１の端末装置は前記移動端末装置が移動することの設定を入力して、当該移動端末装置が当該第１の端末装置に接続する状態の子機番号である第１の子機番号及び当該第１の端末装置の電話番号を含む移動管理申し込み情報を交換装置に送信し、前記第２の端末装置は、前記移動端末装置と接続したときに当該移動端末装置に第２の子機番号を付与して、当該第２の子機番号を含む移動先情報を前記交換装置に送出し、前記第３の端末装置は前記移動端末装置へ発信したときは、前記交換装置から前記第２の子機番号を含む情報を受信して、当該第２の子機番号により前記移動端末装置に再接続し、かつ、前記第２の端末装置は、前記移動端末装置が当該第２の端末装置に接続した状態で前記第４の端末装置に発信が可能であり、前記第４の端末装置は、前記移動端末装置からの発信を受信する、移動追従型コミュニケーションシステムの通信ネットワークに配置される交換装置であって、前記第１の端末装置から前記移動管理申し込み情報を受信して移動を管理する移動管理部と、前記第２の端末装置から前記移動先情報を受信して、当該移動先情報を前記移動管理部に送信する移動先情報受信伝達部と、前記第３の端末装置から前記第１の子機番号に基づく前記移動端末装置への発信を受信し、当該第１の子機番号に基づいて前記移動管理部から前記移動先情報を取り出す移動先情報取り出し部と、前記移動先情報に基づいて前記第２の子機番号を含む情報を前記第３の端末装置に送信する移動先電話番号送出部と、前記移動端末装置が前記第２の端末装置に接続した状態で当該移動端末装置が前記第４の端末装置に発信するときに、前記第２の端末装置から前記第２の子機番号を受信し、前記移動管理部から当該第２の子機番号に基づいて前記第１の子機番号及び前記第１の端末装置の電話番号を含む付加情報を取り出す付加情報取り出し部と、前記付加情報に基づいて前記第４の端末装置に送信する発信者電話番号表示を前記第２の端末装置の電話番号ではなく前記第１の子機番号又は前記第１の端末装置の電話番号にする発信者電話番号表示制御部と、前記付加情報に基づいて、前記第２の端末装置に課金するのではなく前記移動端末装置又は前記第１位置の端末装置に課金する課金制御部と、を有することを特徴とする。
【００１３】
また、請求項６に記載の発明は、第１の端末装置に接続する移動端末装置が移動し、第２の端末装置に当該移動端末装置が接続した状態で第３の端末装置からの発信を受信して通信を行う、又は第４の端末装置に発信して通信を行う、通信ネットワークに交換装置を含む移動追従型コミュニケーションシステムであって、前記第１の端末装置は、前記移動端末装置が移動することの設定を入力する移動モード設定部と、前記移動端末装置が前記第１の端末装置に接続する状態の子機番号である第１の子機番号及び当該第１の端末装置の電話番号を含む移動管理申し込み情報を交換装置に送信する移動管理申し込み部と、を有し、前記第２の端末装置は、前記移動端末装置と接続したときに当該移動端末装置に前記第２の子機番号を付与する子機番号付与部と、前記第２の子機番号を含む前記移動先情報を前記交換装置に送出する移動先情報送出部と、前記第３の端末装置から前記第２の子機番号への発信を受信したときに当該旨を前記移動端末装置に通知し、当該第３の端末装置と当該移動端末装置とを通話可能にする着信制御部と、前記移動端末装置が接続した状態で当該移動端末装置が前記第４の端末装置に発信するときは、前記交換装置に前記第２の子機番号を送出する子機番号送出部と、を有し、前記交換装置は、前記第１の端末装置から前記移動管理申し込み情報を受信して移動を管理する移動管理部と、前記第２の端末装置から前記移動先情報を受信して、当該移動先情報を前記移動管理部に送信する移動先情報受信伝達部と、前記第３の端末装置から前記第１の子機番号に基づく前記移動端末装置への発信を受信して、当該第１の子機番号に基づいて前記移動管理部から前記移動先情報を取り出す移動先情報取り出し部と、前記移動先情報に基づいて前記第２の子機番号を含む情報を前記第３の端末装置に送信する移動先電話番号送出部と、前記移動端末装置が前記第２の端末装置に接続した状態で当該移動端末装置が前記第４の端末装置に発信するときに、前記第２の端末装置から前記第２の子機番号を受信し、前記移動管理部から当該第２の子機番号に基づいて前記第１の子機番号及び前記第１の端末装置の電話番号を含む付加情報を取り出す付加情報取り出し部と、前記付加情報に基づいて前記第４の端末装置に送信する発信者電話番号表示を前記第２の端末装置の電話番号ではなく前記第１の子機番号又は前記第１の端末装置の電話番号にする発信者電話番号表示制御部と、前記付加情報に基づいて、前記第２の端末装置に課金するのではなく前記移動端末装置又は前記第１位置の端末装置に課金する課金制御部と、を有することを特徴とする。
【００１４】
また、請求項７に記載の発明は、第１の端末装置に接続する移動端末装置が移動し、第２の端末装置に当該移動端末装置が接続した状態で第３の端末装置からの発信を受信して通信を行う、又は第４の端末装置に発信して通信を行う場合に、前記第１の端末装置は前記移動端末装置が移動することの設定を入力し、前記第２の端末装置は、前記移動端末装置と接続したときに当該移動端末装置から前記第１の端末装置に接続した状態の第１の子機番号及び前記第１の端末装置の電話番号を受信し、当該移動端末装置に第２の子機番号を付与して、当該第２の子機番号を含む移動先情報を前記第１の端末装置に送出し、前記第１の端末装置は前記第２の端末装置から前記移動先情報を受信し、前記第３の端末装置から前記移動端末装置への発信を受信したときは前記第２の子機番号を含む情報を当該第３の端末装置に送出し、前記第３の端末装置は、前記第１の端末装置から前記第２の子機番号を含む情報を受信して、当該第２の子機番号により前記移動端末装置に再接続し、かつ、前記第２の端末装置は、前記移動端末装置が当該第２の端末装置に接続した状態で前記第４の端末装置に発信するときは、前記交換装置に前記第１の子機番号及び前記第１の端末装置の電話番号を含む付加情報を送出し、前記第４の端末装置は、前記移動端末装置からの発信を受信する、移動追従型コミュニケーションシステムの通信ネットワークに配置される交換装置における移動制御方法であって、付加情報受信部が前記移動端末装置が前記第２の端末装置に接続した状態で前記第４の端末装置に発信したときに、発信先である当該第４の端末装置の電話番号に加えて前記付加情報を当該第２の端末装置から受信する付加情報受信ステップと、発信者電話番号表示制御部が前記付加情報に基づいて前記第４の端末装置に送信する発信者電話番号表示を前記第２の端末装置の電話番号ではなく前記第１の子機番号又は前記第１の端末装置の電話番号にする発信者電話番号表示制御ステップと、課金制御部が前記付加情報に基づいて、前記第２の端末装置に課金するのではなく前記移動端末装置又は前記第１位置の端末装置に課金する課金制御ステップと、を実行することを特徴とする。
【００１５】
また、請求項８に記載の発明は、第１の端末装置に接続する移動端末装置が移動し、第２の端末装置に当該移動端末装置が接続した状態で第３の端末装置からの発信を受信して通信を行う、又は第４の端末装置に発信して通信を行う場合に、前記第１の端末装置は前記移動端末装置が移動することの設定を入力し、前記第２の端末装置は、前記移動端末装置と接続したときに当該移動端末装置から前記第１の端末装置に接続した状態の第１の子機番号及び前記第１の端末装置の電話番号を受信し、当該移動端末装置に第２の子機番号を付与して、当該第２の子機番号を含む移動先情報を前記第１の端末装置に送出し、前記第１の端末装置は前記第２の端末装置から前記移動先情報を受信し、前記第３の端末装置から前記移動端末装置への発信を受信したときは前記第２の子機番号を含む情報を当該第３の端末装置に送出し、前記第３の端末装置は、前記第１の端末装置から前記第２の子機番号を含む情報を受信して、当該第２の子機番号により前記移動端末装置に再接続し、かつ、前記第２の端末装置は、前記移動端末装置が当該第２の端末装置に接続した状態で前記第４の端末装置に発信するときは、前記交換装置に前記第１の子機番号及び前記第１の端末装置の電話番号を含む付加情報を送出し、前記第４の端末装置は、前記移動端末装置からの発信を受信する、移動追従型コミュニケーションシステムに用いられる前記第１の端末装置における移動制御方法であって、移動モード設定部が前記移動端末装置が移動することの設定を入力する移動モード設定ステップと、移動先情報受信部が前記第２の端末装置から前記移動先情報を受信する移動先情報受信ステップと、移動先電話番号情報送出部が前記第３の端末装置からの発信を受信したときは、前記第２の子機番号を含む情報を当該第３の端末装置に送出する移動先電話番号情報送出ステップと、を実行することを特徴とする。
【００１６】
また、請求項９に記載の発明は、第１の端末装置に接続する移動端末装置が移動し、第２の端末装置に当該移動端末装置が接続した状態で第３の端末装置からの発信を受信して通信を行う、又は第４の端末装置に発信して通信を行う場合に、前記第１の端末装置は前記移動端末装置が移動することの設定を入力し、前記第２の端末装置は、前記移動端末装置と接続したときに当該移動端末装置から前記第１の端末装置に接続した状態の第１の子機番号及び前記第１の端末装置の電話番号を受信し、当該移動端末装置に第２の子機番号を付与して、当該第２の子機番号を含む移動先情報を前記第１の端末装置に送出し、前記第１の端末装置は前記第２の端末装置から前記移動先情報を受信し、前記第３の端末装置から前記移動端末装置への発信を受信したときは前記第２の子機番号を含む情報を当該第３の端末装置に送出し、前記第３の端末装置は、前記第１の端末装置から前記第２の子機番号を含む情報を受信して、当該第２の子機番号により前記移動端末装置に再接続し、かつ、前記第２の端末装置は、前記移動端末装置が当該第２の端末装置に接続した状態で前記第４の端末装置に発信するときは、前記交換装置に前記第１の子機番号及び前記第１の端末装置の電話番号を含む付加情報を送出し、前記第４の端末装置は、前記移動端末装置からの発信を受信する、移動追従型コミュニケーションシステムに用いられる前記第２の端末装置における移動制御方法であって、子機番号付与部が前記移動端末装置と接続したときに当該移動端末装置から前記第１の端末装置に接続した状態の第１の子機番号及び前記第１の端末装置の電話番号を受信し、当該移動端末装置に第２の子機番号を付与する子機番号付与ステップと、移動先情報送出部が前記第２の子機番号を含む移動先情報を前記第１の端末装置に送出する移動先情報送出ステップと、着信制御部が前記第３の端末装置から前記第２の子機番号への発信を受信したときに当該旨を前記移動端末装置に通知し、当該第３の端末装置と当該移動端末装置とを通話可能にする着信制御ステップと、付加情報送出部が前記移動端末装置が接続した状態で当該移動端末装置が前記第４の端末装置に発信するときは、交換装置に前記第１の子機番号及び前記第１の端末装置の電話番号を含む付加情報を送出する付加情報送出ステップと、を実行することを特徴とする。
【００１７】
また、請求項１０に記載の発明は、第１の端末装置に接続する移動端末装置が移動し、第２の端末装置に当該移動端末装置が接続した状態で第３の端末装置からの発信を受信して通信を行う、又は第４の端末装置に発信して通信を行う、通信ネットワークに交換装置を含む移動追従型コミュニケーションシステムにおける移動追従型コミュニケーション方法であって、前記第１の端末装置は、移動モード設定部が前記移動端末装置が移動することの設定を入力する移動モード設定ステップと、移動先情報受信部が前記第２の端末装置から前記移動端末装置に付された第２の子機番号を含む移動先情報を受信する移動先情報受信ステップと、移動先電話番号情報送出が部前記第３の端末装置からの発信を受信したときは、前記第２の子機番号を含む情報を当該第３の端末装置に送出する移動先電話番号情報送出ステップと、を実行し、前記第２の端末装置は、子機番号付与部が前記移動端末装置と接続したときに当該移動端末装置から前記第１の端末装置に接続した状態の第１の子機番号及び前記第１の端末装置の電話番号を受信し、当該移動端末装置に前記第２の子機番号を付与する子機番号付与ステップと、移動先情報送出部が前記第２の子機番号を含む前記移動先情報を前記第１の端末装置に送出する移動先情報送出ステップと、着信制御部が前記第３の端末装置から前記第２の子機番号への発信を受信したときに当該旨を前記移動端末装置に通知し、当該第３の端末装置と当該移動端末装置とを通話可能にする着信制御ステップと、付加情報送出部が前記移動端末装置が接続した状態で当該移動端末装置が前記第４の端末装置に発信するときは、前記交換装置に前記第１の子機番号及び前記第１の端末装置の電話番号を含む付加情報を送出する付加情報送出ステップと、を実行し、前記交換装置は、付加情報受信部が前記移動端末装置が前記第２の端末装置に接続した状態で前記第４の端末装置に発信したときに、発信先である当該第４の端末装置の電話番号に加えて前記付加情報を当該第２の端末装置から受信する付加情報受信ステップと、発信者電話番号表示制御部が前記付加情報に基づいて前記第４の端末装置に送信する発信者電話番号表示を前記第２の端末装置の電話番号ではなく前記第１の子機番号又は前記第１の端末装置の電話番号にする発信者電話番号表示制御ステップと、課金制御部が前記付加情報に基づいて、前記第２の端末装置に課金するのではなく前記移動端末装置又は前記第１位置の端末装置に課金する課金制御ステップと、を実行する、ことを特徴とする。
【００１８】
また、請求項１１に記載の発明は、第１の端末装置に接続する移動端末装置が移動し、第２の端末装置に当該移動端末装置が接続した状態で第３の端末装置からの発信を受信して通信を行う、又は第４の端末装置に発信して通信を行う場合に、前記第１の端末装置は前記移動端末装置が移動することの設定を入力して、当該移動端末装置が当該第１の端末装置に接続する状態の子機番号である第１の子機番号及び当該第１の端末装置の電話番号を含む移動管理申し込み情報を交換装置に送信し、前記第２の端末装置は、前記移動端末装置と接続したときに当該移動端末装置に第２の子機番号を付与して、当該第２の子機番号を含む移動先情報を前記交換装置に送出し、前記第３の端末装置は前記移動端末装置へ発信したときは、前記交換装置から前記第２の子機番号を含む情報を受信して、当該第２の子機番号により前記移動端末装置に再接続し、かつ、前記第２の端末装置は、前記移動端末装置が当該第２の端末装置に接続した状態で前記第４の端末装置に発信が可能であり、前記第４の端末装置は、前記移動端末装置からの発信を受信する、移動追従型コミュニケーションシステムの通信ネットワークに配置される交換装置における移動制御方法であって、移動管理部が前記第１の端末装置から前記移動管理申し込み情報を受信して移動を管理する移動管理ステップと、移動先情報受信伝達部が前記第２の端末装置から前記移動先情報を受信して、当該移動先情報を前記移動管理部に送信する移動先情報受信伝達ステップと、移動先情報取り出し部が前記第３の端末装置から前記第１の子機番号に基づく前記移動端末装置への発信を受信し、当該第１の子機番号に基づいて前記移動管理部から前記移動先情報を取り出す移動先情報取り出しステップと、移動先電話番号送出部が前記移動先情報に基づいて前記第２の子機番号を含む情報を前記第３の端末装置に送信する移動先電話番号送出ステップと、付加情報取り出し部が前記移動端末装置が前記第２の端末装置に接続した状態で当該移動端末装置が前記第４の端末装置に発信するときに、前記第２の端末装置から前記第２の子機番号を受信し、前記移動管理部から当該第２の子機番号に基づいて前記第１の子機番号及び前記第１の端末装置の電話番号を含む付加情報を取り出す付加情報取り出しステップと、発信者電話番号表示制御部が前記付加情報に基づいて前記第４の端末装置に送信する発信者電話番号表示を前記第２の端末装置の電話番号ではなく前記第１の子機番号又は前記第１の端末装置の電話番号にする発信者電話番号表示制御ステップと、課金制御部が前記付加情報に基づいて、前記第２の端末装置に課金するのではなく前記移動端末装置又は前記第１位置の端末装置に課金する課金制御ステップと、を実行することを特徴とする。
【００１９】
また、請求項１２に記載の発明は、第１の端末装置に接続する移動端末装置が移動し、第２の端末装置に当該移動端末装置が接続した状態で第３の端末装置からの発信を受信して通信を行う、又は第４の端末装置に発信して通信を行う、通信ネットワークに交換装置を含む移動追従型コミュニケーションシステムにおける移動追従型コミュニケーション方法であって、前記第１の端末装置は、移動モード設定部が前記移動端末装置が移動することの設定を入力する移動モード設定ステップと、移動管理申し込み部が前記移動端末装置が前記第１の端末装置に接続する状態の子機番号である第１の子機番号及び当該第１の端末装置の電話番号を含む移動管理申し込み情報を交換装置に送信する移動管理申し込み部と、を実行し、前記第２の端末装置は、子機番号付与部が前記移動端末装置と接続したときに当該移動端末装置に前記第２の子機番号を付与する子機番号付与ステップと、移動先情報送出部が前記第２の子機番号を含む前記移動先情報を前記交換装置に送出する移動先情報送出ステップと、着信制御部が前記第３の端末装置から前記第２の子機番号への発信を受信したときに当該旨を前記移動端末装置に通知し、当該第３の端末装置と当該移動端末装置とを通話可能にする着信制御ステップと、子機番号送出部が前記移動端末装置が接続した状態で当該移動端末装置が前記第４の端末装置に発信するときは、前記交換装置に前記第２の子機番号を送出する子機番号送出ステップと、を実行し、前記交換装置は、移動管理部が前記第１の端末装置から前記移動管理申し込み情報を受信して移動を管理する移動管理ステップと、移動先情報受信伝達部が前記第２の端末装置から前記移動先情報を受信して、当該移動先情報を前記移動管理部に送信する移動先情報受信伝達ステップと、移動先情報取り出し部が前記第３の端末装置から前記第１の子機番号に基づく前記移動端末装置への発信を受信して、当該第１の子機番号に基づいて前記移動管理部から前記移動先情報を取り出す移動先情報取り出しステップと、移動先電話番号送出部が前記移動先情報に基づいて前記第２の子機番号を含む情報を前記第３の端末装置に送信する移動先電話番号送出ステップと、付加情報取り出し部が前記移動端末装置が前記第２の端末装置に接続した状態で当該移動端末装置が前記第４の端末装置に発信するときに、前記第２の端末装置から前記第２の子機番号を受信し、前記移動管理部から当該第２の子機番号に基づいて前記第１の子機番号及び前記第１の端末装置の電話番号を含む付加情報を取り出す付加情報取り出しステップと、発信者電話番号表示制御部が前記付加情報に基づいて前記第４の端末装置に送信する発信者電話番号表示を前記第２の端末装置の電話番号ではなく前記第１の子機番号又は前記第１の端末装置の電話番号にする発信者電話番号表示制御ステップと、課金制御部が前記付加情報に基づいて、前記第２の端末装置に課金するのではなく前記移動端末装置又は前記第１位置の端末装置に課金する課金制御ステップと、を有することを特徴とする。
【００２０】
請求項１〜４、及び７〜１０に記載の発明では、第１の端末装置は前記移動端末装置が移動することの設定を入力し、第２の端末装置は、移動端末装置と接続したときに移動端末装置から第１の端末装置に接続した状態の第１の子機番号及び第１の端末装置の電話番号を受信し、移動端末装置に第２の子機番号を付与して、第２の子機番号を含む移動先情報を前記第１の端末装置に送出し、第１の端末装置は第２の端末装置から移動先情報を受信し、第３の端末装置から移動端末装置への発信を受信したときは第２の子機番号を含む情報を当該第３の端末装置に送出し、第３の端末装置は、第１の端末装置から第２の子機番号を含む情報を受信して、第２の子機番号により前記移動端末装置に再接続し、かつ、第２の端末装置は、移動端末装置が第２の端末装置に接続した状態で第４の端末装置に発信するときは、交換装置に第１の子機番号及び第１の端末装置の電話番号を含む付加情報を送出し、第４の端末装置は、前記移動端末装置からの発信を受信し、この移動追従型コミュニケーションシステムの通信ネットワークに配置される交換装置は、移動端末装置が第２の端末装置に接続した状態で第４の端末装置に発信したときに、発信先である第４の端末装置の電話番号に加えて付加情報を第２の端末装置から受信し、付加情報に基づいて第４の端末装置に送信する発信者電話番号表示を第２の端末装置の電話番号ではなく第１の子機番号又は第１の端末装置の電話番号にし、付加情報に基づいて、第２の端末装置に課金するのではなく移動端末装置又は第１位置の端末装置に課金する。
【００２１】
したがって、親機である第１の端末装置から離れて子機である移動端末装置が移動しても、移動元の第１の端末装置及び移動しない子機はそれまでどおりの通信ができ、移動先の親機である第２の端末装置及びこの子機もそれまでどおりの通信ができる。また、第２の端末装置に移動した子機である移動端末装置は元の番号により移動先で着信を受けることができ、さらに移動先で発信しても移動先である第２の端末装置に課金されず、第１の端末装置又は移動端末装置に課金される。
【００２２】
請求項５、６、１１及び１２に記載の発明では、第１の端末装置は移動端末装置が移動することの設定を入力して、移動端末装置が第１の端末装置に接続する状態の子機番号である第１の子機番号及び第１の端末装置の電話番号を含む移動管理申し込み情報を交換装置に送信し、第２の端末装置は、移動端末装置と接続したときに移動端末装置に第２の子機番号を付与して、第２の子機番号を含む移動先情報を交換装置に送出し、第３の端末装置は移動端末装置へ発信したときは、交換装置から第２の子機番号を含む情報を受信して、第２の子機番号により前記移動端末装置に再接続し、かつ、第２の端末装置は、移動端末装置が第２の端末装置に接続した状態で第４の端末装置に発信が可能であり、第４の端末装置は移動端末装置からの発信を受信し、交換装置では移動管理部が第１の端末装置から移動管理申し込み情報を受信して移動を管理し、移動先情報受信伝達部が第２の端末装置から移動先情報を受信して、移動先情報を移動管理部に送信し、移動先情報取り出し部が第３の端末装置から第１の子機番号に基づく移動端末装置への発信を受信し、第１の子機番号に基づいて移動管理部から移動先情報を取り出し、移動先電話番号送出部が移動先情報に基づいて第２の子機番号を含む情報を第３の端末装置に送信し、付加情報取り出し部が移動端末装置が第２の端末装置に接続した状態で移動端末装置が第４の端末装置に発信するときに、第２の端末装置から第２の子機番号を受信し、移動管理部から第２の子機番号に基づいて第１の子機番号及び第１の端末装置の電話番号を含む付加情報を取り出し、発信者電話番号表示制御部が付加情報に基づいて第４の端末装置に送信する発信者電話番号表示を第２の端末装置の電話番号ではなく第１の子機番号又は第１の端末装置の電話番号にし、課金制御部が付加情報に基づいて、第２の端末装置に課金するのではなく移動端末装置又は第１位置の端末装置に課金する。
【００２３】
したがって、親機である第１の端末装置から離れて子機である移動端末装置が移動しても、移動元の第１の端末装置及び移動しない子機はそれまでどおりの通信ができ、移動先の親機である第２の端末装置及びこの子機もそれまでどおりの通信ができる。また、第２の端末装置に移動した子機である移動端末装置は元の番号により移動先で着信を受けることができ、さらに移動先で発信しても移動先である第２の端末装置に課金されず、第１の端末装置又は移動端末装置に課金される。また、請求項１〜４、及び７〜１０に記載の発明と比べると、第１の端末装置、及び第２の端末装置に搭載する機能を少なくすることが可能である。
【００２４】
なお、第１の端末装置から第２の端末装置に移動した移動端末装置の通信について、請求項１〜１２では移動端末装置に発信するものを第３の端末装置とし、移動端末装置の発信先を第４の端末装置としているが、これは着信相手、及び発信相手が第１の端末装置、及び第２の端末装置以外ものを意味するものであり、第３の端末装置と第４の端末装置とが同じものであってもよい。
【発明の効果】
【００２５】
請求項1〜１２に記載の発明によれば、親機である第１の端末装置に子機である移動端末装置が接続しない状態でも通話が可能となる。また、移動先で移動端末装置が発信しても移動先である第２の端末装置に課金されず、第１の端末装置又は移動端末装置に課金される。
【発明を実施するための最良の形態】
【００２６】
以下、実施形態について図面を参照して説明する。
【００２７】
(実施形態１)
図１は、本実施形態で用いる移動追従型コミュニケーションシステムの構成図である。図１に示すように移動追従型コミュニケーションシステムは交換装置２を含む通信ネットワーク１、第１の端末装置３１、第２の端末装置３２、第３の端末装置３３、第４の端末装置３４、及び移動端末装置４を有して構成される。また、第１の端末装置３１〜第４の端末装置３４は通信ネットワーク１に接続され、移動端末装置４は第１の端末装置３１を親機として有線又は無線で接続されている。
【００２８】
なお、図１は端末装置を第１から第４まで分けて記述しているが、説明の都合上分けたものであり、端末装置としては同一のものである。また、分けて記述する必要がない場合は端末装置３０としてあらわす。
【００２９】
次に移動追従型コミュニケーションシステムにおけるサービスの概要について説明する。
【００３０】
図２は、移動追従型コミュニケーションシステムで実施可能なサービス例の概要を説明する図である。図２に示すように自宅にある第１の端末装置３１、友人宅にある第２の端末装置３２、会社にある第３の端末装置３３、会社にある第４の端末装置３４が電話網１１又はＩＰ電話網を含むインターネット１２に接続され、第１の端末装置３１には電話の子機や携帯型ゲーム機などの移動端末装置４が有線又は無線で接続されている。
【００３１】
このような構成の移動追従型コミュニケーションシステムにおいて、移動端末装置４を持って友人宅に行く場合を考える。自宅を出るとき、第１の端末装置３１に対して移動端末装置４を持って移動（外出）することの設定を入力する（Ｓ１）。
【００３２】
移動して友人宅に到着すると移動端末装置４を第２の端末装置３２に有線又は無線で接続する。接続すると第１の端末装置３１に接続していたときの子機番号（これを第１の子機番号とする）を移動端末装置４は第２の端末装置３２に送出する（Ｓ２）。
【００３３】
第２の端末装置３２は移動端末装置４にあらためて子機番号を付与する（これを第２の子機番号とする）とともに、受信した第１の子機番号から自宅の第１の端末装置３１の電話番号を取り出し、移動端末装置４が友人宅の第２の端末装置３２に接続されていることを第１の端末装置３１に通知する（Ｓ３）。
【００３４】
移動端末装置４が移動（外出）しているとは知らず自宅にいるものと思い第３の端末装置３３を用いて自宅にいるときの第１の子機番号を使って電話をかけてくると、第１の端末装置３１が移動（外出）していること等を第３の端末装置３３伝にえる。同時に第２の端末装置３２に接続されていることを（第２の子機番号等を含む）第３の端末装置３３に通知する（Ｓ４）。
【００３５】
したがって第３の端末装置３３を用いて第２の端末装置に接続されている移動端末装置４に電話をかけ直し通話を行うことが可能である（Ｓ５）。
【００３６】
また、第２の端末装置３２に接続されている移動端末装置４を用いて会社の第４の端末装置３４に電話をかけると、第４の端末装置３４における発信者電話番号表示は、第１の端末装置３１に接続されていたときと同じ番号が表示され、課金も第１の端末装置３１に接続されていたときと同じになる（Ｓ６）。
【００３７】
次に移動追従型コミュニケーションシステムにおける構成装置の機能及び構成装置間の接続について説明する。
【００３８】
図３は、図１の移動追従型コミュニケーションシステムにおける構成装置の機能例及び構成装置間の接続例を示す。図３は電話番号１２３４の第１の端末装置３１を親機とする子機番号１２３４−１の移動端末装置４が移動し、電話番号５６７８の第２の端末装置３２に接続された場合について示している。
【００３９】
さらに、電話番号９０１２の第３の端末装置３３が移動したとは分からずにこれまでどおりの子機の番号１２３４−１により電話をかける、又は移動端末装置４から電話番号３４５６の第４の端末装置３４に発信する場合について示している。
【００４０】
まず、移動端末装置４への着信又は移動端末装置４からの発信に係わらない共通の構成装置の機能及び構成装置間の接続を説明し、次に着信に係わるもの、その次に発信に係わるものについて説明する。
（共通の構成装置の機能及び構成装置間の接続）
第１の端末装置３１は、移動端末装置４が移動することから第１の端末装置３１の動作を移動端末装置４の移動モードに設定する移動モード設定手段を有する移動モード設定部３１３、及び第２の端末装置３２から送られる移動端末装置４と接続状態にあることを示す第２の子機番号５６７８−１２３４−１を含む移動先情報を受信する移動先情報受信手段を有する移動先情報受信部３１４を含む。
【００４１】
第２の端末装置３２は、移動端末装置４が移動してきて移動端末装置４と接続状態にあるときに、移動端末装置４に対して第１の端末装置３１と接続していたときに付与された第１の子機番号１２３４−１を含む第２の子機番号５６７８−１２３４−１を付与する子機番号付与手段を有する子機番号付与部３２１、及び移動先情報を第１の端末装置３１に送出する移動先情報送出手段を有する移動先情報送出部３２２を含む。
（着信に係わる構成装置の機能及び構成装置間に接続）
第３の端末装置３３から移動端末装置４への着信があると、第３の端末装置３３に移動端末装置４が移動していること等の案内情報とともに、移動情報受信部３１４にある移動先情報に含まれる第２の子機番号５６７８−１２３４−１を送出する移動先電話番号情報送出手段を有する移動先電話番号情報送出部３１５を第１の端末装置３１は含む。
【００４２】
第３の端末装置３３は、第１の端末装置３１から送出される移動していること等の案内情報とともに第２の子機番号５６７８−１２３４−１を受信する移動先電話番号情報受信手段を有する移動先電話番号情報受信部３３１、及び第２の子機番号により移動端末装置４に再接続する移動端末装置再接続手段を有する移動端末装置再接続部３３２を含む。
（発信に係わる構成装置の機能及び構成装置間に接続）
第２の端末装置３２は、移動端末装置４が発信を行うと、交換装置２に発信者電話番号の付加情報として子機番号付与部３２１にある子機番号５６７８−１２３４−１に含まれる第１の子機番号１２３４−１を送出する付加情報送出手段を有する付加情報送出部３２４を含む。
【００４３】
交換装置２は、電話番号５６７８の第２の端末装置３２の発信において、接続先である第４の端末装置３４の電話番号３４５６の他に第２の端末装置３２から送出される付加情報１２３４−１を受信する付加情報受信手段を有する付加情報受信部２１、付加情報１２３４−１があることにより第４の端末装置３４に対する発信者電話番号表示を５６７８ではなく１２３４又は１２３４−１にする発信者電話番号表示制御手段を有する発信者電話番号表示制御部２２、及び付加情報１２３４−１があることにより、課金は５６７８に課金するのではなく１２３４又は１２３４−１に課金する課金制御手段を有する課金制御部２３を含む。
【００４４】
次に移動追従型コミュニケーションシステムにおける構成装置の構成について説明する。
【００４５】
図４は図３の移動追従型コミュニケーションシステムにおける構成装置の構成例を示す図である。図３に示したものと同一、又は同等な機能要素については同一の符号を当てるものとし、詳細な説明については省略するものとする。
【００４６】
第１の端末装置３１は、通信ネットワークとのインタフェースをとる通信ネットワークインタフェース３１１、電話の子機や携帯型ゲーム機などの移動端末装置４とのインタフェースをとるローカル通信インタフェース３１２、移動モード設定部３１３、移動先情報受信部３１４、及び移動先電話番号情報送出部３１５を有して構成される。
【００４７】
第２の端末装置３２は、通信ネットワークインタフェース３１１、ローカル通信インタフェース３１２、子機番号付与部３２１、移動先情報送出部３２２、着信時の制御を行う着信制御部３２３、及び付加情報送出部３２４を有して構成される。
【００４８】
第３の端末装置３３は、通信ネットワークインタフェース３１１、移動電話番号情報受信部３３１、及び移動端末装置再接続部３３２を有して構成される。
【００４９】
交換装置２は、付加情報受信部２１、発信者電話番号表示制御部２２、及び課金制御部２３を有して構成される。
【００５０】
次に移動追従型コミュニケーションシステムにおける動作を説明する。
【００５１】
図５は、図３の移動追従型コミュニケーションシステムの動作例を示すシーケンスチャートである。図５は第１の端末装置３１、移動端末装置４、第２の端末装置３２、交換装置２、第３の端末装置３３、及び第４の端末装置３４の間のシーケンスを示す。
【００５２】
第１の端末装置３１の移動モード設定部３１３は移動端末装置４が移動することから移動モードの設定を行う（Ａ１）。
【００５３】
移動端末装置４が第２の端末装置３２のところに移動したことから（ステップＡ２）、第２の端末装置３２の子機番号付与部３２１が移動端末装置４に対し第２の子機番号を付与する（Ａ３）。
【００５４】
そして、移動先情報送出部３２２が移動先情報を第１の端末装置３１に送出し、第１の端末装置３１の移動先情報受信部３１４がこれを受信する（Ａ４）。
【００５５】
第３の端末装置３３が移動端末装置４に発信してくると（Ａ５）、第１の端末装置３１に着信する。
【００５６】
ここで第１の端末装置３１の移動先電話番号情報送出部３１５が、移動端末装置４は移動していること等の案内情報とともに第２の子機番号を送出し、第３の端末装置３３の移動先電話番号情報受信部３３１がこれを受信する（Ａ６）。
【００５７】
そして移動端末装置再接続部３３２が第２の端末装置３２に接続した移動端末装置４に再接続し（Ａ７）、移動端末装置４が応答し通話が可能になる（Ａ８）。
【００５８】
移動端末装置４が第４の端末装置３４に発信すると（Ａ９）、第２の端末装置３２の付加情報送出部３２４が交換装置２に付加情報を送出し、交換装置２の付加情報受信部２１が受信する（Ａ１０）。
【００５９】
付加情報受信部２１が接続制御を行うとともに、発信者電話番号表示制御２２が移動端末装置４の発信者電話番号の制御を行う（Ａ１１）。
【００６０】
そして第４の端末装置３４の応答により通話が可能になる（Ａ１２）。
【００６１】
通話が終了すると交換装置２の課金制御部２３が第１の端末装置３１に課金されるように制御を行う（Ａ１３）。
【００６２】
このように、実施形態１の移動追従型コミュニケーションシステムによれば、交換装置に少ない機能を付加することにより、子機が移動しても、移動元及び移動先の親機並びに移動しない子機はそれまでどおりの通信ができる。また、移動した子機は元の番号で移動先において着信を受けることができる。さらに移動先で発信しても移動先に課金されることがない。
(実施形態２)
以下実施形態２について説明するが実施形態１と同一、又は同等な機能要素については同一の符号を当てるものとし、詳細な説明については省略するものとする。また、実施形態１との違いは、交換装置により多くの機能を持たせていることであり、その分、端末装置３０が持つ機能は少なくなっていることである。
【００６３】
図６は、実施形態２の移動追従型コミュニケーションシステムにより実施可能なサービス例の概要を説明する図である。図６は自宅にある第１の端末装置３１、友人宅にある第２の端末装置３２、会社にある第３の端末装置３３、及び会社にある第４の端末装置３４が電話網１１又はＩＰ電話網を含むインターネット１２に接続され、第１の端末装置３１には電話の子機や携帯型ゲーム機などの移動端末装置４が有線又は無線で接続されていることを示している。さらに移動端末装置４を持って友人宅に行く場合を示している。
【００６４】
図６において、自宅を出るとき、第１の端末装置３１に対して移動端末装置４を持って移動（外出）することの設定を入力する（Ｓ１１）。
【００６５】
第１の端末装置３１は交換機やサーバなどの交換装置２に移動端末装置４の移動管理サービスを申し込む（Ｓ１２）。
【００６６】
移動して友人宅に到着すると移動端末装置４を第２の端末装置３２に有線又は無線で接続する。接続すると第１の端末装置３１に接続していたときの子機番号（これを第１の子機番号とする）を移動端末装置４が第２の端末装置３２に送出する（Ｓ１３）。
【００６７】
第２の端末装置３２はあらたに子機番号を移動端末装置４に付与する（これを第２の子機番号とする）とともに、交換装置２に移動端末装置４が第２の端末装置３２に接続されていることを通知する（Ｓ１４）。
【００６８】
移動端末装置４が移動（外出）しているとは知らず自宅にいるものと思い、第３の端末装置３３を用いて自宅にいるときの第１の子機番号を使って電話をかけてくると、交換装置２が移動（外出）していること等を第３の端末装置３３に伝え、同時に第２の端末装置３２に接続されていること（第２の子機番号）を通知する（Ｓ１５）。
【００６９】
したがって第３の端末装置３３を用いて第２の端末装置に接続されている移動端末装置４に電話をかけ直し通話を行うことが可能となる（Ｓ１６）。
【００７０】
また、第２の端末装置３２に接続されている移動端末装置４を用いて会社の第４の端末装置３４に電話をかけると、第４の端末装置３４の発信者電話番号表示には、第１の端末装置３１に接続されていたときと同じ番号が表示され、課金も第１の端末装置３１に接続されていたときと同じになる（Ｓ１７）。
【００７１】
次に移動追従型コミュニケーションシステムにおける構成装置の機能及び構成装置間の接続について説明する。
【００７２】
図７は、移動追従型コミュニケーションシステムにおける構成装置の機能例及び構成装置間の接続例を示す図である。図７は電話番号１２３４の第１の端末装置３１を親機とする子機番号１２３４−１の移動端末装置４が移動し、電話番号５６７８の第２の端末装置３２に接続された場合について示している。
【００７３】
さらに、移動端末装置４が移動したとは分からずに電話番号９０１２の第３の端末装置３３を用いてこれまでどおりの子機の番号１２３４−１により電話をかける、又は移動端末装置４から電話番号３４５６の第４の端末装置３４に発信する場合について示している。
【００７４】
まず、移動端末装置４への着信又は移動端末装置４からの発信に係わらない共通の構成装置の機能及び構成装置間の接続を説明し、次に着信に係わるもの、その次に発信に係わるものについて説明する。
（共通の構成装置の機能及び構成装置間の接続）
第１の端末装置３１は、移動端末装置４が移動することから第１の端末装置３１の動作を移動端末装置４の移動モードに設定する移動モード設定手段を有する移動モード設定部３１３、及び交換装置２にパスワードを付して移動端末装置４の移動管理の申し込みを行う移動管理申し込み手段を有する移動管理申し込み部３１６を含む。
【００７５】
第２の端末装置３２は、移動端末装置４が移動してきて移動端末装置４と接続状態にあるときに、移動端末装置４に対して第１の端末装置３１と接続していたときに付与された第１の子機番号１２３４−１を含む第２の子機番号５６７８−１２３４−１を付与する子機番号付与手段を有する子機番号付与部３２１、及び接続状態にあることを示す第２の子機番号を含む移動先情報をパスワードを付して交換装置２に送出する移動先情報送出手段を有する移動先情報送出部３２２を含む。
【００７６】
交換装置２は、第１の端末装置３１から送出される移動端末装置４の移動管理の申し込みを受け付け、第１の子機番号と第２の子機番号の対応管理を含む移動を管理する移動管理手段を有する移動管理部２４、及び第２の端末装置３２から送出される移動先情報を受信し移動管理部２４に伝える移動先情報受信伝達手段を有する移動先情報受信伝達部２５を含む。
（着信に係わる構成装置の機能及び構成装置間に接続）
交換装置２は、第３の端末装置３３から移動端末装置４への着信があると、第１の子機番号に基づき移動管理部２４から移動先情報を取り出す移動先情報取り出し手段を有する移動先情報取り出し部２６、及び発信してきた第３の端末装置３３に移動していること等の案内情報とともに移動先情報に含まれる第２の子機番号５６７８−１２３４−１を送出する移動先電話番号情報送出手段を有する移動先電話番号情報送出部３１５を含む。
【００７７】
第３の端末装置３３は、交換装置２から送出される移動していること等の案内情報とともに第２の子機番号５６７８−１２３４−１を受信する移動先電話番号情報受信手段を有する移動先電話番号情報受信部３３１、及び第２の子機番号により移動端末装置４に再接続する移動端末装置再接続手段を有する移動端末装置再接続部３３２を含む。
（発信に係わる構成装置の機能及び構成装置間に接続）
第２の端末装置３２は、移動端末装置４が発信すると交換装置２にパスワードを付して子機番号付与部３２１にある子機番号５６７８−１２３４−１を送出する子機番号送出手段を有する子機番号送出部３２５を含む。
【００７８】
交換装置２は、電話番号５６７８の第２の端末装置３２の発信において、接続先である第４の端末装置３４の電話番号３４５６の他に第２の端末装置３２から送出される第２の子機番号５６７８−１２３４−１を受信し移動管理部２４から付加情報として第１の子機番号１２３４−１を取り出す付加情報取り出し手段を有する付加情報取り出し部２７、付加情報１２３４−１があることにより第４の端末装置３４に対する発信者電話番号表示を５６７８ではなく１２３４又は１２３４−１にする発信者電話番号表示制御手段を有する発信者電話番号表示制御部２２、及び付加情報１２３４−１があることにより課金は５６７８に課金するのではなく１２３４又は１２３４−１に課金する課金制御手段を有する課金制御部２３を含む。
【００７９】
次に移動追従型コミュニケーションシステムにおける構成装置の構成について説明する。
【００８０】
図８は図７の移動追従型コミュニケーションシステムにおける構成装置の構成例を示す図である。図７に示したものと同一、または同等な機能要素については同一の符号を当てるものとし、詳細な説明については省略するものとする。
【００８１】
第１の端末装置３１は、通信ネットワークとのインタフェースをとる通信ネットワークインタフェース３１１、電話の子機や携帯型ゲーム機などの移動端末装置４とのインタフェースをとるローカル通信インタフェース３１２、移動モード設定部３１３、及び移動管理申し込み部３１６を有して構成される。
【００８２】
第２の端末装置３２は、通信ネットワークインタフェース３１１、ローカル通信インタフェース３１２、子機番号付与部３２１、移動先情報送出部３２２、着信時の制御を行う着信制御部３２３、及び子機番号送出部３２５を有して構成される。
【００８３】
第３の端末装置３３は、通信ネットワークインタフェース３１１、移動電話番号情報受信部３３１、及び移動端末装置再接続部３３２を有して構成される。
【００８４】
交換装置２は、移動管理部２４、移動先情報受信伝達部２５、移動先情報取り出し部２６、移動先電話番号情報送出部３１５、付加情報取り出し部２７、発信者電話番号表示制御部２２、及び課金制御部２３を有して構成される。
【００８５】
次に移動追従型コミュニケーションシステムにおける動作を説明する。
【００８６】
図９は、図７の移動追従型コミュニケーションシステムの動作例を示すシーケンスチャートである。図９は第１の端末装置３１、移動端末装置４、第２の端末装置３２、交換装置２、第３の端末装置３３、及び第４の端末装置３４の間のシーケンスである。
【００８７】
第１の端末装置３１の移動モード設定部３１３は移動端末装置４が移動することから移動モードの設定を行う（Ｂ１）。
【００８８】
そして交換装置２に移動端末装置４の移動管理の申し込みを行い（Ｂ２）、交換装置２が移動管理を受け付ける（Ｂ３）。
【００８９】
移動端末装置４が第２の端末装置３２のところに移動したことから（Ｂ４）、第２の端末装置３２の子機番号付与部３２１が移動端末装置４に対し第２の子機番号を付与する（Ｂ５）。
【００９０】
そして移動先情報送出部３２２が移動先情報を交換装置２に送出し、交換装置２の移動先情報受信伝達部２５がこれを受信して移動管理部２４に伝える（Ｂ６）。
【００９１】
第３の端末装置３３が移動端末装置４に発信してくると（Ｂ７）、交換装置２の移動先情報取り出し部２６が第１の子機番号に基づき移動管理部２４から移動先情報を取り出す（Ｂ８）。
【００９２】
そして移動先電話番号情報送出部３１５が移動していること等の案内情報とともに第２の子機番号を第３の端末装置３３に送出するので、第３の端末装置３３の移動先電話番号情報受信部３３１がこれを受信する（Ｂ９）。
【００９３】
そして移動端末装置再接続部３３２が第２の端末装置３２に接続した移動端末装置４に再接続し（Ｂ１０）、移動端末装置４がこれに応答し通話が可能になる（Ｂ１１）。
【００９４】
移動端末装置４が第４の端末装置３４に発信すると（Ｂ１２）、第２の端末装置３２の子機番号送出部３２５が交換装置２に第２の子機番号を送出する（Ｂ１３）。
【００９５】
交換装置２の付加情報取り出し部２７がこれを受信し移動管理部２４から付加情報として第１の子機番号を取り出し（Ｂ１４）、接続制御を行うとともに発信者電話番号表示制御２２が移動端末装置４の発信者電話番号の制御を行う（Ｂ１５）。
【００９６】
したがって第４の端末装置３４の応答により通話が可能になり（Ｂ１６）、通話が終了すると交換装置２の課金制御部２３が第１の端末装置３１に課金されるように制御を行う（Ｂ１７）。
【００９７】
このように、実施形態２の移動追従型コミュニケーションシステムによれば、交換装置が一定の機能を持つことにより、端末装置には少ない機能を付加することで、移動元及び移動先の親機および移動しない子機はそれまでどおりの通信ができる。また移動した子機は元の番号で移動先において着信を受けることができる。さらに移動先で発信しても移動先に課金されることがない。
【００９８】
また、上記実施形態において、交換装置は、例えば、交換装置を構成するコンピュータ装置が有するＣＰＵによって実現され、必要とする移動管理処理、移動先情報受信伝達処理、移動先情報取り出し処理、付加情報取り出し処理、発信者電話番号表示制御処理、課金制御処理などをアプリケーションプログラムとして搭載することができる。
【００９９】
また、移動管理処理、移動先情報受信伝達処理、移動先情報取り出し処理、付加情報取り出し処理、発信者電話番号表示制御処理、課金制御処理などで行った処理結果や計算結果等のデータを内部メモリや外部記憶装置等に書き込み・読み出しができるようにしてもよい。
【０１００】
また、本実施形態の機能を実現するソフトウェアのプログラムコードを記録した記録媒体を、システム又は装置に供給し、そのシステム又は装置のＣＰＵ（ＭＰＵ）が記憶媒体に格納されたプログラムコードを読み出し実行することも可能である。この場合、記憶媒体から読み出されたプログラムコード自体が上記実施形態の機能を実現することになり、このプログラムコードを記憶した記憶媒体としては、例えば、ＣＤ−ＲＯＭ、ＤＶＤ−ＲＯＭ、ＣＤ−Ｒ、ＣＤ−ＲＷ、ＭＯ、ＨＤＤ等がある。
【図面の簡単な説明】
【０１０１】
【図１】移動追従型コミュニケーションシステムの構成図。
【図２】移動追従型コミュニケーションシステムにより実施可能なサービス例の概要を説明する図。
【図３】移動追従型コミュニケーションシステムにおける構成装置の機能例及び構成装置間の接続例を示す図。
【図４】移動追従型コミュニケーションシステムにおける構成装置の構成例を示す図。
【図５】移動追従型コミュニケーションシステムの動作例を示すシーケンスチャート。
【図６】移動追従型コミュニケーションシステムにより実施可能なサービス例の概要を説明する図。
【図７】移動追従型コミュニケーションシステムにおける構成装置の機能例及び構成装置間の接続例を示す図。
【図８】移動追従型コミュニケーションシステムにおける構成装置の構成例を示す図。
【図９】移動追従型コミュニケーションシステムの動作例を示すシーケンスチャート。
【符号の説明】
【０１０２】
１  通信ネットワーク
２  交換装置
１１  電話網
１２  インターネット
２１  付加情報受信部
２２  発信者電話番号表示制御部
２３  課金制御部
２４  移動管理部
２５  移動先情報受信伝達部
２６  移動先情報取り出し部
２７  付加情報取り出し部
３１  第１の端末装置
３２  第２の端末装置
３３  第３の端末装置
３４  第４の端末装置
４４  移動端末装置
３１１  通信ネットワークインタフェース
３１２  ローカル通信インタフェース
３１３  移動モード設定部
３１４  移動先情報受信部
３１５  移動先電話番号情報送出部
３１６  移動管理申し込み部
３２１  子機電話番号付与部
３２２  移動先情報送出部
３２３  着信制御部
３２４  付加情報送出部
３２５  子機番号送出部
３３１  移動電話番号情報受信部
３３２  移動端末装置再接続部
【図１】
2006333056.tif 000003
【図３】
2006333056.tif 000004
【図４】
2006333056.tif 000005
【図５】
2006333056.tif 000006
【図７】
2006333056.tif 000007
【図８】
2006333056.tif 000008
【図９】
2006333056.tif 000009
【図２】
2006333056.tif 000010
【図６】
2006333056.tif 000011